(57)【要約】【課題】  従来の葬儀用の祭壇を構成するためには、祭壇を設けるための奥行きを備えたスペースの他、多数の供花等を準備する必要がある。そのため、急な葬儀が必要な場合や、費用に余裕がないといった課題があった。【解決手段】  台の後方に離間して立設されてなる携帯型スクリーンと、前記台の内部又は後面に近接した位置であって、前記携帯型スクリーンの前方に配置されてなる近焦点型映写装置と、スピーカーと、前記携帯型スクリーンの外縁部に飾り付けられた飾りとを備え、前記携帯型スクリーンに、祭壇映像、及び前記祭壇映像の後に刻々変化する故人に関連する関連動画が映写されてなることを特長とし、従来では葬祭を行うには小さいと判断されていた会場であっても、祭壇を設置することができる祭儀場内法要用祭壇装置を提供する。【選択図】  図４
2018114218.tif 000002
【特許請求の範囲】
【請求項１】
棺台若しくは後飾り祭壇を構成する台と、
前記台の後方に離間して立設されてなる携帯型スクリーンと、
前記台の内部又は後面に近接した位置であって、前記携帯型スクリーンの前方に配置されてなる近焦点型映写装置と、
スピーカーと、
前記携帯型スクリーンの外縁部に飾り付けられた飾りとを備え、
前記携帯型スクリーンに、祭壇映像、及び前記祭壇映像が映写された後に刻々変化する故人に関連する関連動画が映写されてなる
ことを特長とする祭儀場内法要用祭壇装置。
【発明の詳細な説明】
【技術分野】
【０００１】
本発明は、祭儀場内で行われる法要、特に葬儀、及び還骨法要、繰り上げ初七日法要の全て若しくはその一部において用いられる祭壇装置に関する。
【背景技術】
【０００２】
従来、葬儀の際に設置される祭壇は、遺影写真を載置する階段状の祭壇の中央に遺影写真を載置し、遺影写真の周りを取り囲むように飾り付けられた花冠および供花等によって構成されてなる。
【先行技術文献】
【特許文献】
【０００３】
【特許文献１】特開２０１５−０７７２００号公報
【発明の概要】
【発明が解決しようとする課題】
【０００４】
しかし、上記従来の葬儀用の祭壇を構成するためには、祭壇を設けるための奥行きを備えたスペースの他、多数の供花等を準備する必要がある。そのため、急な葬儀が必要な場合や、費用に余裕がない場合に、このような従来の葬儀用祭壇を選択できない場合がある。
【０００５】
また、近年においては、従来の祭壇を用いず、簡易な構成の葬儀を行いたいという需要も増大していた。
【０００６】
また、葬儀後の還骨法要においても祭壇は葬儀時よりも小さくなることが通常であるが、前述した葬儀の場合と同様の課題や需要の増大があった。
【課題を解決するための手段】
【０００７】
そこで、上記課題を解決する手段として本発明に係る祭儀場内法要用祭壇装置は、棺台若しくは後飾り祭壇を構成する台と、前記台の後方に離間して立設されてなる携帯型スクリーンと、前記台の内部又は後面に近接した位置であって、前記携帯型スクリーンの前方に配置されてなる近焦点型映写装置と、スピーカーと、前記携帯型スクリーンの外縁部に飾り付けられた飾りとを備え、前記携帯型スクリーンに、祭壇映像、及び前記祭壇映像が映写された後に刻々変化する故人に関連する関連動画が映写されてなることを特長とする。
【０００８】
前記携帯型スクリーンは、左右に立設されてなる脚部と、当該脚部の間に展開されてなるスクリーンシート部を備えてなるものが好ましい。近焦点型映写装置から映写される映像はスクリーンシート部に映し出される。
【０００９】
また、携帯型スクリーンを使用しない場合には、脚部からスクリーンシート部を取り外し、スクリーンシート部を折り畳む、若しくは巻き取って小さくまとめることができる。これにより、携帯型スクリーンを容易に持ち運ぶことができる。
【００１０】
また、携帯型スクリーンの他の形態として、伸縮自在の脚部と、脚部の上端部に水平に取付けられてなるスクリーン基部とスクリーン基部から下方に垂下されてなるスクリーンシート部を備えてなるものであっても好ましい。この場合、スクリーン基部は、内部に図示しない巻取り機構及び収納空間を備えた中空の筒体に形成されてなり、スクリーンシート部の一端が前記巻取り機構に連結されてなる。これにより、携帯型スクリーンの不使用時にはスクリーンシート部を前記巻取り機構によって収納空間内に巻取ることができる。また、脚部は携帯型スクリーンの不使用時には短縮させてスクリーン基部から取り外し可能、若しくはスクリーン基部の軸方向に沿って折り畳み可能に構成されてなり、携帯型スクリーンを容易に携帯することができる。
【００１１】
近焦点型映写装置は、投射レンズから前記スクリーンシート部に向かって映像を投射することにより、祭壇映像、及び前記祭壇映像をスクリーンシート部に映写させることができると共に、スピーカーから映像に合わせた音楽及び音声を出力することができる。スピーカーは、近焦点型映写装置と有線若しくは無線によって音情報を受信可能に接続されてなる。また、スピーカーの配置位置は、携帯型スクリーンの脚部に取り付けて、飾りの背後に隠れるように配置することが好ましいが、携帯型スクリーンの近傍の床面に配置することとしてもよい。スピーカーが飾りに隠れるように配置されれば、参列者からスピーカーを視認されることがなく、祭儀場内で執り行われる法要の厳かな雰囲気を損なわせずに、音楽等を出力することによる雰囲気の向上を図ることができる。
【００１２】
なお、本発明は、祭儀場で行われる法要の全般にわたって用いられても好ましく、また、葬儀、還骨法要、及び繰り上げ初七日法要の内の一部で用いられてもよい。特に、繰り上げ初七日法要を行わない場合には、除く法要でのみ用いることとしてもよい。
【００１３】
また、近焦点型映写装置から出力される映像及び音情報は、近焦点型映写装置内に装備されたメモリーから同じく近焦点型映写装置内に装備された中央演算処理手段を用いて出力されてもよく、また、近焦点型映写装置の外部に接続されたコンピュータ内に保存された映像及び音情報が近焦点型映写装置に送信されて映写されるものであっても好ましい。コンピュータを用いる場合には携帯可能なノート型コンピュータ若しくはタブレット型コンピュータを用いることとすれば、本発明を構成する物品の運搬と共にコンピュータも容易に運ぶことができるため好ましい。
【発明の効果】
【００１４】
本発明によれば、従来の祭壇が設置できず、従来では葬祭を行うには小さいと判断されていた会場であっても、祭壇を設置することができる。
【００１５】
本発明によれば、携帯型スクリーンに祭壇映像、及び前記祭壇映像に続いて刻々変化する故人に関連する関連動画が映写されるので、従来の葬祭用祭壇では実現できなかった、葬儀の進行に合わせて最適な祭壇映像であって、かつ、故人に固有の祭壇を提供することができる。これにより、従来の葬祭用祭壇では実現できなかった故人自身を参列者に強く印象付けることができる祭壇を、従来よりも簡易な構成で提供することができる。
【００１６】
さらに、スクリーンが携帯型であることにより、設置と撤収が容易であり、本発明を構成する部材をまとめて、祭壇セットとして車に積んで運搬することができる。
【図面の簡単な説明】
【００１７】
【図１】葬儀の際における祭儀場内法要用祭壇装置１を前面から見た概要図である。
【図２】葬儀の際における祭儀場内法要用祭壇装置１を右側面から見た概要図である。
【図３】葬儀の際における祭儀場内法要用祭壇装置１を上面から見た概要図である。
【図４】葬儀の際において携帯型スクリーン３に祭壇映像７ａが映写されている様子を示す図である。
【図５】葬儀の際において携帯型スクリーン３に刻々変化する故人に関連する関連動画７ｂのうち、故人自身を映し出した映像７１ｂが映写されている様子を示す図である。
【図６】葬儀の際において携帯型スクリーン３に刻々変化する故人に関連する関連動画７ｂのうち故人ゆかりの土地、建物など７２ｂが映写されている様子を示す図である。
【図７】還骨法要・繰り上げ初七日法要の際における祭儀場内法要用祭壇装置１を前面から見た概要図である。
【図８】還骨法要・繰り上げ初七日法要の際における祭儀場内法要用祭壇装置１を右側面から見た概要図である。
【図９】還骨法要・繰り上げ初七日法要の際における祭儀場内法要用祭壇装置１を上面から見た概要図である。
【図１０】還骨法要・繰り上げ初七日法要の際において携帯型スクリーン３に祭壇映像９ａが映写されている様子を示す図である。
【図１１】還骨法要・繰り上げ初七日法要の際において携帯型スクリーン３に刻々変化する故人に関連する関連動画９ｂのうち、故人自身を映し出した映像９１ｂが映写されている様子を示す図である。
【図１２】還骨法要・繰り上げ初七日法要の際において携帯型スクリーン３に刻々変化する故人に関連する関連動画９ｂのうち故人ゆかりの土地、建物など９２ｂが映写されている様子を示す図である。
【発明を実施するための形態】
【００１８】
以下、本発明に係る実施の形態を、図を参照しながら詳しく説明する。なお、本明細書及び図面において、実質的に同一の機能構成を有する構成要素については、同一の符号を付することにより重複説明を省略する。
【００１９】
図１は、葬儀の際における本発明に係る祭儀場内法要用祭壇装置１を前面から見た概要図である。会場となる部屋の床面Ａに棺台２が設置され、棺台２の後方に離間して携帯型スクリーン３が立設されてなる。また、棺台２の後面に近接した床面Ａ上には図２、３に示すように近焦点型映写装置４が配置されてなる。棺台２の上面には棺２１が設置されてなる。
【００２０】
携帯型スクリーン３は、左右に立設されてなる脚部３１ａ、３１ｂと、当該脚部３１ａ、３１ｂとの間に展開されてなるスクリーンシート部３２を備えてなる。近焦点型映写装置４から映写される映像はスクリーンシート部３２に映し出される。
【００２１】
また、携帯型スクリーン３を使用しない場合には、脚部３１ａ、３１ｂからスクリーンシート部３２を取り外し、スクリーンシート部３２を折り畳む、若しくは巻き取って小さくまとめることができる。これにより、携帯型スクリーン３を容易に持ち運ぶことができる。
【００２２】
また、図１において、携帯型スクリーン３の左右側縁部の前面側には飾り５ａ、及び飾り５ｂ、並びに上縁部の前面側には飾り５ｃが飾り付けられてなる。飾り５ａ〜５ｃは、携帯型スクリーン３の枠縁を目立たなくすることができ、スクリーンシート部３２に映し出される映像と相まって故人に対する祭壇の外枠を形作ることができる。
【００２３】
また、本実施の形態においては、飾り５ａ、５ｂの後面側において、それぞれスピーカー６ａ、６ｂが脚部３１ａ、３１ｂの側面に着脱可能に固定されてなる。スピーカー６ａ、６ｂは飾り５ａ，５ｂの後面に隠れるように配置されており、本発明の正面側に座る参列者からは見えないようになっている。スピーカー６ａ、６ｂは、近焦点型映写装置４と有線若しくは無線によって音声情報を受信可能に接続されており、映像に合わせた音楽及び音声を出力することができる。
【００２４】
前記携帯型スクリーン３には、近焦点型映写装置４から、映像７が映写されてなる。映像７は、祭壇映像７ａ、及び前記祭壇映像７ａに続いて刻々変化する故人に関連する関連動画７ｂとからなる。
【００２５】
なお、近焦点型映写装置４には図示しないノート型コンピュータが接続されてなり、映像７の映写時には、当該ノート型コンピュータから映像７及びこれに合わせた音楽及び音声情報が近焦点型映写装置４に送信される。
【００２６】
祭壇映像７ａは、図４に示すように、従来の葬祭用祭壇を前面から見た画像であることが好ましい。祭壇映像７ａの中央部には、従来の祭壇７１ａ上に載置されたように映し出された故人の遺影７２ａが配置されてなることが好ましい。祭壇映像７ａを、通夜や葬儀の前半において映写することにより、従来の葬祭用祭壇が配置された葬祭会場と形式的に代わりの内雰囲気を実現することができる。
【００２７】
さらに、一定時間祭壇映像７ａが映写された後、近焦点型映写装置４からは関連動画７ｂが映写される。関連動画７ｂは、図５に示すように、故人が生前に記録した、参列者へ語りかける故人自身７１１ｂを映し出した映像７１ｂ、若しくは、図６に示すように、故人ゆかりの土地の山７２１ｂや川７２２ｂを映した風景７２ｂなどを音声解説と共に紹介する動画であることが好ましい。また、映像７１ｂ、及び７２ｂを連続して映写しても好ましい。関連動画７ｂを映写することにより、故人との縁が深い参列者に対しては、故人との思い出を鮮明に思い出してもらいながら、故人を送り出すことを実現することができる。
【００２８】
一方で、故人との縁がそれほど深くない参列者に対しては、関連動画７ｂによって故人の人物像をよく知らせることができ、故人の送り出しにより一層の気持ちを込めてもらうことができる。
【００２９】
次に、図７には、骨上げ後の還骨法要の際における本発明に係る祭儀場内法要用祭壇装置１を前面から見た概要図である。会場となる部屋の床面Ａに後飾り祭壇８が設置され、後飾り祭壇８の後方に離間して携帯型スクリーン３が立設されてなる。また、図８、９に示すように、後飾り祭壇８の内部に設けられた空間８ａには近焦点型映写装置４が配置されてなる。後飾り祭壇８の上面には骨壺の入った骨箱８１が設置されてなる。
【００３０】
携帯型スクリーン３は、左右に立設されてなる脚部３１ａ、３１ｂと、当該脚部３１ａ、３１ｂとの間に展開されてなるスクリーンシート部３２を備えてなり、近焦点型映写装置４から映写される映像はスクリーンシート部３２に映し出される点は、前記葬儀の場合の実施形態の場合と同様である。
【００３１】
また、図７においても、前記葬儀の場合と同様に、携帯型スクリーン３の左右側縁部の前面側には飾り５ａ、及び飾り５ｂ、並びに上縁部の前面側には飾り５ｃが飾り付けられてなり、飾り５ａ、５ｂの後面側において、それぞれスピーカー６ａ、６ｂが脚部３１ａ、３１ｂに着脱可能に固定されてなる。なお、飾り５ａ〜５ｃは、還骨法要に合わせて、葬儀の場合とは異なる形態を有するものに変更してもよい。
【００３２】
スピーカー６ａ、６ｂは飾り５ａ，５ｂの後面に隠れるように配置されており、本発明の正面側に座る参列者からは見えないようになっている。スピーカー６ａ、６ｂは、近焦点型映写装置４と有線若しくは無線によって音声情報を受信可能に接続されており、映像に合わせた音楽及び音声を出力することができる。
【００３３】
前記携帯型スクリーン３には、近焦点型映写装置４から、映像９が映写されてなる。映像９は、還骨法要、及び繰り上げ初七日法要時に従来用いられる祭壇映像７ａ、及び前記祭壇映像９ａに続いて刻々変化する故人に関連する関連動画９ｂとからなる。
【００３４】
祭壇映像９ａは、図１０に示すように、従来の葬祭用祭壇を前面から見た画像であることが好ましい。祭壇映像９ａの中央部には、従来の祭壇９１ａ上に載置されたように映し出された故人の遺影９２ａが配置されてなることが好ましい。祭壇映像９ａを、通夜や葬儀の前半において映写することにより、従来の葬祭用祭壇が配置された葬祭会場と形式的に代わりの内雰囲気を実現することができる。
【００３５】
さらに、一定時間祭壇映像９ａが映写された後、近焦点型映写装置４からは関連動画９ｂが映写される。関連動画９ｂは、図１１に示すように、故人が生前に記録した、参列者へ語りかける故人自身９１１ｂを映し出した映像９１ｂ、若しくは、図１２に示すように、故人ゆかりの土地の山９２１ｂや川９２２ｂを映した風景９２ｂなどを音声解説と共に紹介する動画であることが好ましい。また、映像９１ｂ、及び９２ｂを連続して映写しても好ましい。また、祭壇映像９ａは還骨法要及び繰り上げ初七日法要を通して用いることとしてもよい。還骨法要から繰り上げ初七日法要は間を置かずに連続して行われることが多いからである。関連動画９ｂを映写することにより、参列者に対しては、葬祭の終盤である還骨法要、繰り上げ初七日法要において故人との思い出を鮮明に思い出してもらうことができる。
【符号の説明】
【００３６】
１  祭儀場内法要用祭壇装置
２  棺台、後飾り祭壇
３  携帯型スクリーン
４  近焦点型映写装置
５ａ〜５ｃ  飾り
６ａ、６ｂ  スピーカー
７ａ  祭壇映像
７ｂ  関連動画
【図１】
2018114218.tif 000003
【図２】
2018114218.tif 000004
【図３】
2018114218.tif 000005
【図４】
2018114218.tif 000006
【図５】
2018114218.tif 000007
【図６】
2018114218.tif 000008
【図７】
2018114218.tif 000009
【図８】
2018114218.tif 000010
【図９】
2018114218.tif 000011
【図１０】
2018114218.tif 000012
【図１１】
2018114218.tif 000013
【図１２】
2018114218.tif 000014